(57)【要約】【課題】最適な色再現状態での映像の視聴を可能とする色相分布に応じて色補正を掛ける映像信号補正回路制御装置および映像信号補正システム。【解決手段】映像信号の色差信号から１フレーム中の色相分布を検出する色相分布検出回路と、映像信号の輝度信号から１フレーム中の輝度分布を検出する輝度分布検出回路と、前記色相分布検出回路からの出力と前記輝度分布検出回路からの出力を入力として１フレーム中の映像信号の１フレーム中の色相分布と輝度分布に応じたヒストグラム変換型色補正回路制御信号を作成するヒストグラム変換型色補正回路制御装置を備えた構成とする。【選択図】図２
2007110307.tif 000002
【特許請求の範囲】
【請求項１】
映像信号の色差信号から１フレーム中の色相分布を検出する色相分布検出回路と、
前記色相分布検出回路からの出力を入力として１フレームの色相分布に応じたヒストグラム変換型色補正回路制御信号を作成するヒストグラム変換型色補正回路制御装置と、
前記ヒストグラム変換型色補正回路制御装置からの出力を入力としてヒストグラム変換型色補正回路制御信号に応じた色補正を色差信号に掛けるヒストグラム変換型色補正回路を具備し、
１フレーム中の映像信号の色相分布に応じて映像信号の色差信号に色補正を掛けることを特徴とする映像信号補正回路。
【請求項２】
映像信号の色差信号から１フレーム中の色相分布を検出する色相分布検出回路と、
映像信号の輝度信号から１フレーム中の輝度分布を検出する輝度分布検出回路と、
前記色相分布検出回路からの出力と前記輝度分布検出回路からの出力を入力として１フレーム中の映像信号の色相分布と１フレーム中の輝度分布に応じたヒストグラム変換型色補正回路制御信号を作成するヒストグラム変換型色補正回路制御装置と、
前記ヒストグラム変換型色補正回路制御装置からの出力を入力としてヒストグラム変換型色補正回路制御信号に応じた色補正を色差信号に掛けるヒストグラム変換型色補正回路を具備し、
１フレーム中の映像信号の色相分布と１フレーム中の輝度分布に応じて映像信号の色差信号にヒストグラム変換型色補正を掛けることを特徴とする映像信号補正回路。
【請求項３】
映像信号の色差信号から１フレーム中の色相分布を検出する色相分布検出回路と、
前記色相分布検出回路からの出力を入力として１フレームの色相分布に応じたヒストグラム変換型色補正回路制御信号を作成するヒストグラム変換型色補正回路制御装置と、
前記ヒストグラム変換型色補正回路制御装置からの出力を入力としてヒストグラム変換型色補正回路制御信号に応じたヒストグラム変換型輝度補正回路制御信号を作成するヒストグラム変換型輝度補正回路制御装置と
前記ヒストグラム変換型輝度補正回路制御装置からの出力と輝度信号を入力としてヒストグラム変換型輝度補正回路制御信号に応じた輝度補正を輝度信号に掛けるヒストグラム変換型輝度補正回路を具備し、
１フレーム中の映像信号の色相分布に応じて映像信号の色差信号にヒストグラム変換型色補正を掛け
映像信号の輝度信号にヒストグラム変換型輝度補正を掛けることを特徴とする映像信号補正回路。
【請求項４】
映像信号の色差信号から１フレーム中の色相分布を検出する色相分布検出回路と、
映像信号の輝度信号から１フレーム中の輝度分布を検出する輝度分布検出回路と、
前記色相分布検出回路からの出力と前記輝度分布検出回路からの出力を入力として１フレーム中の映像信号の色相分布と
１フレーム中の輝度分布に応じたヒストグラム変換型色補正回路制御信号を作成するヒストグラム変換型色補正回路制御装置と、
前記ヒストグラム変換型色補正回路制御装置からの出力を入力としてヒストグラム変換型色補正回路制御信号に応じた色補正を色差信号に掛けるヒストグラム変換型色補正回路と、
前記ヒストグラム変換型色補正回路制御装置からの出力を入力としてヒストグラム変換型色補正回路制御信号に応じたヒストグラム変換型輝度補正回路制御信号を作成するヒストグラム変換型輝度補正回路制御装置と
前記ヒストグラム変換型輝度補正回路制御装置からの出力と輝度信号を入力としてヒストグラム変換型輝度補正回路制御信号に応じた輝度補正を輝度信号に掛けるヒストグラム変換型輝度補正回路を具備し、
１フレーム中の映像信号の色相分布と１フレーム中の輝度分布に応じて映像信号の色差信号にヒストグラム変換型色補正を掛け
映像信号の輝度信号にヒストグラム変換型輝度補正を掛けることを特徴とする映像信号補正回路。
【発明の詳細な説明】
【技術分野】
【０００１】
本発明はヒストグラム変換型階調補正回路および色飽和度補正回路の制御に関し、特に映像信号の肌色部分の輝度分布に応じてヒストグラム変換型階調補正回路および色飽和度補正回路を制御する回路に関する。
【背景技術】
【０００２】
近年、テレビジョンの大画面化は目ざましいものがあり、そのため画質に関する要求はますます高まりつつある。とりわけ人間の目は人の肌の再現に関しては敏感であり、人の肌の色相と輝度が画質に与える影響は大なるものがある。
【０００３】
図７は従来の肌色輝度向上回路のブロック構成図を示す。映像信号補正回路制御装置は映像信号の色差信号から１フレーム中の肌色部分の面積を検出する肌色面積検出回路１と、映像信号の色差信号から１フレーム中の肌色部分の平均輝度レベルを検出する肌色平均輝度レベル検出回路２と、映像信号の輝度信号から１フレームの平均輝度レベルを検出する平均輝度レベル検出回路３と、前記肌色面積検出回路からの出力と前記肌色平均輝度レベル検出回路からの出力と前記平均輝度レベル検出回路からの出力を入力として１フレームの肌色部分の面積と１フレームの肌色部分の平均輝度レベルと１フレームの平均輝度レベルに応じたガンマ補正回路制御信号を作成するガンマ補正回路制御装置４と、前記ガンマ補正回路制御装置からの出力を入力としてガンマ補正回路制御信号に応じたガンマ補正を映像信号の輝度信号に掛けるガンマ補正回路５を備えた構成である。
【０００４】
以上のように構成された従来の肌色輝度向上回路においては、テレビジョンセットのＣＲＴのビーム量を調整するＡＣＬや映像信号の黒レベルを調整する黒伸長補正の副作用によって暗くくすんでしまった肌色の輝度レベルを、映像信号の平均輝度レベルと肌色部分の平均輝度レベルに応じて向上させる。
【特許文献１】特開平７−２８８８３９号公報
【発明の開示】
【発明が解決しようとする課題】
【０００５】
しかしながら前記のような構成では、映像信号の平均輝度レベルと肌色部分の平均輝度レベルで補正を行うだけであり、肌色部分の輝度分布が高輝度側と低輝度側の両側に大きく分かれている場合と中輝度に集中している場合にはともに肌色部分の平均輝度が中輝度域となることから双方の区別が付かず、また肌色部分の輝度レベルを向上すると同時に肌色部分の階調性を損なうという不具合があるなど、肌色の輝度分布に応じた適切な映像信号補正を掛けることができなかった。本発明はかかる点に鑑み、視聴者が映像の状態に応じた最適な映像信号補正状態でのテレビジョンの視聴を可能とする映像信号補正回路を提供することを目的とする。
【課題を解決するための手段】
【０００６】
映像信号の色差信号から１フレーム中の色相分布を検出する色相分布検出回路と、映像信号の輝度信号から１フレーム中の輝度分布を検出する輝度分布検出回路と、前記色相分布検出回路からの出力と前記輝度分布検出回路からの出力を入力として１フレーム中の映像信号の肌色部分の輝度分布と１フレーム中の輝度分布に応じたヒストグラム変換型階調補正回路制御信号を作成するヒストグラム変換型階調補正回路制御装置と、前記ヒストグラム変換型階調補正回路制御装置からの出力を入力としてヒストグラム変換型階調補正回路制御信号に応じた階調補正を輝度信号に掛けるヒストグラム変換型階調補正回路と、前記ヒストグラム変換型階調補正回路制御装置からの出力を入力としてヒストグラム変換型階調補正回路制御信号に応じた色飽和度補正回路制御信号を作成する色飽和度補正回路制御装置と、前記色飽和度補正回路制御装置からの出力と輝度信号を入力として色飽和度補正回路制御信号に応じた色飽和度補正を色差信号に掛ける色飽和度補正回路を備えた構成としている。
【０００７】
前記した構成により、映像信号の色差信号から１フレーム中の色相分布を検出する色相分布検出回路の出力と映像信号の輝度信号から１フレーム中の輝度分布を検出する輝度分布検出回路の出力の前者または両者からヒストグラム変換型色補正回路制御装置において映像状態を算出し、ヒストグラム変換型色補正回路制御装置においてこの映像状態に応じたヒストグラム変換型色補正回路制御信号を作成し、ヒストグラム変換型色補正回路制御装置からの出力信号により映像信号の状態に応じた最適なヒストグラム変換型色補正を行い、また場合によってヒストグラム変換型輝度補正回路制御装置においてヒストグラム変換型色補正回路制御装置からの出力信号に応じたヒストグラム変換型輝度補正回路制御信号を作成し、ヒストグラム変換型輝度補正回路制御装置からの出力信号によりヒストグラム変換型輝度補正回路制御装置からの出力信号に応じた最適な輝度補正を行う。
【発明の効果】
【０００８】
本発明は、視聴者が映像信号の色相分布と映像信号の輝度分布に応じた最適なヒストグラム変換型色補正とヒストグラム変換型階調補正での視聴を可能とすることができ、その実用的効果は大きい。
【発明を実施するための最良の形態】
【０００９】
（実施の形態１）
図１は本発明の映像信号補正回路の一実施例を示す。図１において、１は映像信号から１フレーム中の色相分布を検出する色相分布検出回路であり、２は前記色相分布検出回路からの出力を入力として１フレームの色相分布に応じたヒストグラム変換型色補正回路制御信号を作成するヒストグラム変換型色補正回路制御装置であり、３は前記ヒストグラム変換型色補正回路制御装置からの出力を入力としてヒストグラム変換型色補正回路制御信号に応じた色補正を色差信号に掛けるヒストグラム変換型色補正回路である。
【００１０】
以上のように構成された映像信号補正回路について以下その動作説明を行う。まず、図１における色相分布検出回路１において映像信号から１フレーム中の色相分布を検出し、検出した結果を電圧に変換する。なお、検出回路の出力は電圧だけでなく電流でも良いことはいうまでもない。検出された色相分布を図１におけるヒストグラム変換型色補正回路制御装置２に入力し１フレームの色相分布に応じたヒストグラム変換型色補正回路制御信号を作成し電圧または電流に変換して出力する。出力されたヒストグラム変換型色補正回路制御信号はヒストグラム変換型色補正回路３に入力され、ヒストグラム変換型色補正回路制御信号に応じたヒストグラム変換型色補正を映像信号の色差信号に掛ける。
【００１１】
以上のように本実施の形態１によれば１フレームの色差分布を検出することで映像の色差分布に応じた最適なヒストグラム変換型色補正が可能となる。
【００１２】
（実施の形態２）
図２は本発明の一実施例における映像信号補正回路のブロック構成図を示す。図２において、上記実施の形態１と構成が異なる点は、色相分布検出回路１に加えて輝度分布検出回路６を備え、色相分布検出回路１の出力に加えて輝度分布検出回路６の出力をヒストグラム変換型色補正回路制御装置の入力とした構成としていることである。輝度分布検出回路６は輝度信号から１フレーム中の輝度分布を検出する。他の構成については実施の形態１と同様なので説明を省略する。
【００１３】
以上のように構成された映像信号補正回路について以下その動作説明を行う。まず、図２における色相分布検出回路１において映像信号から１フレーム中の色相分布を検出し、検出した結果を電圧に変換する。なお、検出回路の出力は電圧だけでなく電流でも良いことはいうまでもない。また図２における輝度分布検出回路６において映像信号から１フレーム中の輝度分布を検出し、検出した結果を電圧または電流に変換する。検出された色相分布と輝度分布を図２におけるヒストグラム変換型色補正回路制御装置２に入力し１フレーム中の映像信号の色相分布と１フレーム中の輝度分布に応じたヒストグラム変換型色補正回路制御信号を作成し電圧または電流に変換して出力する。出力されたヒストグラム変換型色補正回路制御信号はヒストグラム変換型色補正回路３に入力され、ヒストグラム変換型色補正回路制御信号に応じたヒストグラム変換型色補正を映像信号の色差信号に掛ける。
【００１４】
以上のように本実施の形態２によれば１フレーム中の映像信号の色差分布と１フレーム中の輝度分布を検出することで映像の色差分布と輝度分布に応じた最適なヒストグラム変換型色補正が可能となる。
【００１５】
（実施の形態３）
図３は本発明の一実施例における映像信号補正回路のブロック構成図を示す。図３において、１は映像信号から１フレーム中の色相分布を検出する色相分布検出回路であり、２は前記色相分布検出回路からの出力を入力として１フレームの色相分布に応じたヒストグラム変換型色補正回路制御信号を作成するヒストグラム変換型色補正回路制御装置であり、３は前記ヒストグラム変換型色補正回路制御装置からの出力を入力としてヒストグラム変換型色補正回路制御信号に応じた色補正を色差信号に掛けるヒストグラム変換型色補正回路であり、４は前記ヒストグラム変換型色補正回路制御装置からの出力を入力としてヒストグラム変換型色補正回路制御信号に応じたヒストグラム変換型輝度補正回路制御信号を作成するヒストグラム変換型輝度補正回路制御装置であり、５は前記ヒストグラム変換型輝度補正回路制御装置からの出力と輝度信号を入力としてヒストグラム変換型輝度補正回路制御信号に応じた輝度補正を輝度信号に掛けるヒストグラム変換型輝度補正回路である。
【００１６】
以上のように構成された映像信号補正回路について以下その動作説明を行う。
【００１７】
まず、図３における色相分布検出回路１において映像信号から１フレーム中の色相分布を検出し、検出した結果を電圧に変換する。なお、検出回路の出力は電圧だけでなく電流でも良いことはいうまでもない。検出された色相分布を図３におけるヒストグラム変換型色補正回路制御装置２に入力し１フレームの色相分布に応じたヒストグラム変換型色補正回路制御信号を作成し電圧または電流に変換して出力する。出力されたヒストグラム変換型色補正回路制御信号はヒストグラム変換型色補正回路３に入力され、ヒストグラム変換型色補正回路制御信号に応じたヒストグラム変換型色補正を映像信号の色差信号に掛ける。また出力されたヒストグラム変換型色補正回路制御信号はヒストグラム変換型輝度補正回路制御装置４に入力され、ヒストグラム変換型色補正回路制御信号に応じたヒストグラム変換型輝度補正回路制御信号を作成し電圧または電流に変換して出力する。出力されたヒストグラム変換型輝度補正回路制御信号はヒストグラム変換型輝度補正回路５に入力され、ヒストグラム変換型輝度補正回路制御信号に応じた輝度補正を映像信号の輝度信号に掛ける。
【００１８】
以上のように本実施の形態３によれば１フレームの色相分布を検出することで映像の色相分布に応じた最適なヒストグラム変換型色補正が可能となり、またそのヒストグラム変換型色補正に応じた最適な輝度補正が可能となる。
【００１９】
（実施の形態４）
図４は本発明の一実施例における映像信号補正回路のブロック構成図を示す。図４において、上記実施の形態３と構成が異なる点は、色相分布検出回路１に加えて輝度分布検出回路６を備え、色相分布検出回路１の出力に加えて輝度分布検出回路６の出力をヒストグラム変換型色補正回路制御装置の入力とした構成としていることである。輝度分布検出回路６は輝度信号から１フレーム中の輝度分布を検出する。他の構成については実施の形態３と同様なので説明を省略する。
【００２０】
以上のように構成された映像信号補正回路について以下その動作説明を行う。
【００２１】
まず、図４における色相分布検出回路１において映像信号から１フレーム中の色相分布を検出し、検出した結果を電圧に変換する。なお、検出回路の出力は電圧だけでなく電流でも良いことはいうまでもない。また図４における輝度分布検出回路６において映像信号から１フレーム中の輝度分布を検出し、検出した結果を電圧または電流に変換する。検出された色相分布と輝度分布を図４におけるヒストグラム変換型色補正回路制御装置２に入力し１フレーム中の映像信号の色相分布と１フレーム中の輝度分布に応じたヒストグラム変換型色補正回路制御信号を作成し電圧または電流に変換して出力する。出力されたヒストグラム変換型色補正回路制御信号はヒストグラム変換型色補正回路３に入力され、ヒストグラム変換型色補正回路制御信号に応じたヒストグラム変換型色補正を映像信号の色差信号に掛ける。また出力されたヒストグラム変換型色補正回路制御信号はヒストグラム変換型輝度補正回路制御装置４に入力され、ヒストグラム変換型色補正回路制御信号に応じたヒストグラム変換型輝度補正回路制御信号を作成し電圧または電流に変換して出力する。出力されたヒストグラム変換型輝度補正回路制御信号はヒストグラム変換型輝度補正回路５に入力され、ヒストグラム変換型輝度補正回路制御信号に応じた輝度補正を映像信号の輝度信号に掛ける。
【００２２】
以上のように本実施の形態４によれば１フレーム中の映像信号の色相分布と１フレーム中の輝度分布を検出することで映像の色相分布と輝度分布に応じた最適なヒストグラム変換型色補正が可能となり、またそのヒストグラム変換型色補正に応じた最適なヒストグラム変換型輝度補正が可能となる。
【産業上の利用可能性】
【００２３】
本発明にかかる映像信号補正回路は、視聴者が映像信号の色相分布と映像信号の輝度分布に応じた最適なヒストグラム変換型色補正とヒストグラム変換型階調補正での視聴を可能とすることができるものであり、特に映像信号の肌色部分の輝度分布に応じてヒストグラム変換型階調補正回路および色飽和度補正回路を制御する装置において有用である。
【図面の簡単な説明】
【００２４】
【図１】本発明の第一の実施の形態における映像信号補正回路のブロック図
【図２】本発明の第二の実施の形態における映像信号補正回路のブロック図
【図３】本発明の第三の実施の形態における映像信号補正回路のブロック図
【図４】本発明の第四の実施の形態における映像信号補正回路のブロック図
【図５】従来の肌色輝度向上回路のブロック図
【符号の説明】
【００２５】
１    色相分布検出回路
２    ヒストグラム変換型色補正回路制御装置
３    ヒストグラム変換型色補正回路
４    ヒストグラム変換型輝度補正回路制御装置
５    ヒストグラム変換型輝度補正回路
６    輝度分布検出回路
【図１】
2007110307.tif 000003
【図２】
2007110307.tif 000004
【図３】
2007110307.tif 000005
【図４】
2007110307.tif 000006
【図５】
2007110307.tif 000007